(57)【特許請求の範囲】
【請求項１】
中空部を有する碍子体と、前記碍子体の中空部に貫通挿入される金属製の芯線と、碍子体および芯線が内包される円筒状の接続金具と、前記接続金具の内部において芯線を接続金具に保持する弾性材料からなる保持部材とを有し、前記碍子体は、前記芯線の軸線方向の上下から前記保持部材を挟むようにして設けられることを特徴とする電気伝導プラグ。
【請求項２】
保持部材は、少なくとも接続金具および芯線と接触する面にリブを有することを特徴とする請求項１記載の電気伝導プラグ。
【請求項３】
保持部材は、碍子体と嵌合する凹凸面を備えることを特徴とする請求項１または２記載の電気伝導プラグ。
【発明の詳細な説明】
【技術分野】
【０００１】
本発明は、碍子体の中空部に芯線を貫通挿入してなる電気伝導プラグに関するものである。
【背景技術】
【０００２】
従来、電気伝導プラグは図４に示すように、中空部２２を有する碍子体２１に金属製の芯線２３を貫通挿入して構成され、中空部２２には接着剤２４を封入することで、碍子体２１と芯線２３とが固着されるようになっている。
【０００３】
なお、このような電気伝導プラグの用途としては、燃焼装置の点火手段や炎検知手段などが挙げられるが、点火手段や炎検知手段として用いられた場合には火炎に曝されることとなるため、この電気伝導プラグには高い耐熱性が要求される。したがって、碍子体２１と芯線２３を固着するための接着剤２４は耐熱性に優れたものを用いる必要があり、一般的には無機系の熱硬化型のものが使用されている（特許文献１）。
【０００４】
そして、碍子体２１の外周には、燃焼装置等の機器に接続するための接続金具２５が設けられていて、碍子体２１と接続金具２５も同様に隙間に接着剤２４を封入することにより固着される。
【特許文献１】特開２０００−１９３２３９号公報
【発明の開示】
【発明が解決しようとする課題】
【０００５】
ところで、上述のように電気伝導プラグを燃焼装置などに用いる場合においては、耐熱性だけでなく気密性の保持もまた重要な要求事項となる。ところが、接着に用いられる無機系接着剤は耐熱性に優れるものの、多孔質であるために気密性を保持することが難しいという問題があった。
【０００６】
そこで、複数ある接着箇所のうち、比較的高温とならない部分には気密性の高い有機系接着剤を用いることにより、プラグ全体としての気密を保持することが対策として挙げられる。しかし、いずれにせよ、芯線と碍子体、碍子体と接続金具の少なくとも２箇所に接着剤を封入して確実にシールしなければならないため、作業性が悪く不良が発生する確率が高くなってしまうことが懸念される。
【０００７】
また、その他のシール方法としてはＯリングを用いた方法もある。Ｏリングは気密性に優れ、さらには、接着を必要としないので作業性が良いという利点があるため、広く一般に用いられている。
【０００８】
ところが、電気伝導プラグに用いられる碍子体はセラミックス製であることが多く、セラミックは焼成物であることから個体によって寸法に誤差が生じ易いため、公差の管理が難しいという難点があった。つまり、このようなプラグにおいては、Ｏリングを用いても密封できない不良品が発生する可能性があるため、結局は接着剤によるシールに頼らざるを得なかったのである。
【０００９】
本発明は上記課題を解決するためのもので、気密性を保持しつつ、組み立ての際の作業性に優れた電気伝導プラグを提供することを目的とする。
【課題を解決するための手段】
【００１０】
本発明は、中空部を有する碍子体と、前記碍子体の中空部に貫通挿入される金属製の芯線と、碍子体および芯線が内包される円筒状の接続金具と、前記接続金具の内部において芯線を接続金具に保持する弾性材料からなる保持部材とを有し、前記碍子体は、前記芯線の軸線方向の上下から前記保持部材を挟むようにして設けられることを特徴とする電気伝導プラグである。
【００１１】
また、保持部材は、少なくとも接続金具および芯線と接触する面にリブを有することを特徴とする請求項１記載の電気伝導プラグである。
【００１２】
また、保持部材は、碍子体と嵌合する凹凸面を備えることを特徴とする請求項１または２記載の電気伝導プラグである。
【発明の効果】
【００１６】
上述のように構成することにより、気密性を保持しつつ、接着によらず固定することができるため、作業性に優れるとともに不良の発生のない電気伝導プラグを構成することができる。
【発明を実施するための最良の形態】
【００１７】
好適と考える本発明の最良の形態を、本発明の作用効果を示して簡単に説明する。
【００１８】
本発明の電気伝導プラグは、円筒状の接続金具の内部に碍子体および金属製の芯線を内包したものであって、保持部材を用いることにより接続金具と芯線とを固定する構成とした。
【００１９】
具体的には、上述の保持部材は、弾性を有する材料により形成されるものであって、円筒状の接続金具の内部に装着され、芯線をこの保持部材に貫通挿入させることにより、接続金具の内壁に芯線を固定するようになっている。
【００２０】
セラミックに代表される碍子体は、個体によって寸法に誤差が生じ易く、公差の管理が難しいものである。従来は、接続金具と碍子体とを固定するようになっていたため、保持部材のような部材を用いた場合には密封できない不良品が発生する可能性があり、それゆえに、接着剤によるシールに頼らざるを得ず、作業性が悪くなってしまっていた。
【００２１】
そこで、本発明は、接続金具と芯線とを固定することとし、これらを固定するために保持部材を使用するよう構成した。つまり、接続金具と芯線はともに金属製で、寸法公差の管理が比較的容易であるから、保持部材を使用することで確実に固定することが可能となる。したがって、接着剤を用いることなく組み立てることができるため、作業性に優れるとともに不良が発生する可能性が少なくなり、さらには保持部材の弾性力によりプラグは密閉状態となるため、気密性の保持にも優れた電気伝導プラグとなるのである。
【実施例】
【００２２】
本発明の具体的な実施例について図面に基づいて説明する。
【００２３】
図１は本発明の電気伝導プラグの断面図であって、円筒状の接続金具１と、中空部２を有する一対の碍子体（第一碍子体３ａ、第二碍子体３ｂ）からなる中継碍子と、第一碍子体３ａおよび第二碍子体３ｂの中空部２に貫通挿入される金属製の芯線４と、芯線４を接続金具１に保持する保持部材５を備えている。
【００２４】
接続金具１は、電気伝導プラグのハウジングを構成するとともに、図示しない燃焼装置等の機器のプラグ取付孔に取り付けるための部材の役割をなすものである。そして、その構造は略円筒状をなしており、一端には電気伝導プラグを燃焼装置等の機器に取り付けるためのネジ山が形成された雄ネジ部６を備え、他端には取り付けの際に、スパナやレンチ等の工具を係合させる、六角形状の工具係合部７を有している。
【００２５】
また、接続金具１は図２に示すように、軸方向に貫通する貫通孔１ａを有する筒状であり、この貫通孔１ａは上部開口８と連通する内周径の大きい大径部９と、下部開口１０と連通する内周径の小さい小径部１１を備えて構成されている。さらに、上部開口８にはリング状の押さえ金具１２が配置されている。
【００２６】
中継碍子は、図中下方の第一碍子体３ａと図中上方の第二碍子体３ｂからなり、第一碍子体３ａおよび第二碍子体３ｂは、例えばアルミナ等のセラミック焼結体により略円筒状に構成され、その内部には自身の軸方向に沿って芯線４を挿通させるための中空部２を有している。
【００２７】
また、第一碍子体３ａおよび第二碍子体３ｂはともに、幅広の鍔部１３を有している。この鍔部１３の径は、接続金具１の小径部１１の径より大きく、プラグを組み立てた際に接続金具１から第一碍子体３ａ、第二碍子体３ｂおよび芯線４が抜け落ちるのを防ぐために設けられているものである。さらに、第一碍子体３ａと第二碍子体３ｂは、保持部材５を挟んで相対した状態で設けられるとともに、一端には嵌合凸部１４が形成されている。
【００２８】
芯線４は、先端および末端が第一碍子体３ａと第二碍子体３ｂから突出した状態で設けられている。なお、第一碍子体３ａは、中空部２に接着剤１５が封入されて芯線４と固着されており、この接着剤１５としては、例えば主成分がアルミナ系やシリカ系からなる無機系接着剤が用いられている。一般に無機系接着剤は耐熱温度が非常に高く、高温下での使用に適するとされている。
【００２９】
保持部材５は、弾性を有する電気的絶縁部材により形成され、図３に示すように、中心には軸方向に貫通する貫通孔５ａと、両端面には第一碍子体３ａおよび第二碍子体３ｂの嵌合凸部１４と嵌合する嵌合凹部１６が形成されている。そして、保持部材５は接続金具１の大径部９の内壁面に密着するように設けられるとともに、この貫通孔５ａには芯線４が貫通挿入されることで、芯線４を接続金具１の大径部９の内壁面に固定し、これによりプラグを気密状態とする。
【００３０】
また、保持部材５には、リブ１７が形成されている。保持部材５に対して軸方向から力が加わると、弾性体である保持部材５は周方向に広がり、接続金具１の内周面および芯線４を押圧するが、さらにリブ１７を設けることで、保持部材５が接続金具１と芯線４とを保持する力が強まるため、プラグの密閉性を高めることとなる。
【００３１】
なお、リブ１７は、接続金具１と芯線4とを保持する力を強めるために設けたものであるから、少なくとも接続金具１の内壁面との接触面５ｂ、および芯線４との接触面５ｃに設けられていればよいが、図のように嵌合凸部１４との接触面５ｄに設けることとしてもよい。また、リブ１７の形状や設ける位置等はこれに限るものではない。
【００３２】
次に、上述の構成の電気伝導プラグの組み立てについて説明する。
【００３３】
まず、予め芯線４を第一碍子体３ａに組み付けて接着剤１５で固定しておき、これを接続金具１の上部開口８から貫通孔１ａに挿入する。すると、芯線４は接続金具１の小径部１１よりも細いため、先端が貫通孔１ａを通過して下部開口１０から突出するが、第一碍子体３ａは鍔部１３が小径部１１にひっかかり、所定位置下部開口１０から突出した状態で接続金具１に係止される。
【００３４】
次に、上部開口８より突出している芯線４の末端に、保持部材５の貫通孔５ａを通して、接続金具１の内部に保持部材５を装着し、芯線４と接続金具１の内壁とを固定する。
【００３５】
そして、嵌合凸部１４を下に向けた状態で、第二碍子体３ｂの中空部２に芯線４を通して、第二碍子体３ｂを保持部材５の上に載置する。すると、保持部材５は上下から第一碍子体３ａと第二碍子体３ｂにより挟まれ、保持部材５の嵌合凹部１６と第一碍子体３ａおよび第二碍子体３ｂの嵌合凸部１４とが向かい合った状態となる。
【００３６】
最後に、リング状の押さえ金具１２を第二碍子体３ｂの上から被せ、この押さえ金具１２を押圧して、第二碍子体３ｂを押し下げていき、第一碍子体３ａおよび第二碍子体３ｂと保持部材５とを密着させる。そして、押さえ金具１２を、接続金具１と当接するまで押圧すると、第一碍子体３ａおよび第二碍子体３ｂの嵌合凸部１４と保持部材５の嵌合凹部１６とが完全に嵌合した状態となる。
【００３７】
第二碍子体３ｂを押し下げることで、保持部材５に対して軸方向から力が加わると、弾性体である保持部材５は周方向に広がり、押し広げられた保持部材５は接続金具１の内周面および芯線４を押圧して、接続金具１と芯線４とを密閉状態に保持する。また、保持部材５の接触面５ｂ、５ｃ、５ｄに形成されたリブ１７は、保持部材５が接続金具１と芯線４とを保持する力を強めるので、密閉性がより高められることとなる。
【００３８】
さらに、第一碍子体３ａおよび第二碍子体３ｂと保持部材５の凹凸形状が嵌合状態となることで、保持部材５を押し広げる力が強く働くため、接続金具１と芯線４とをより強固に保持することができる。
【００３９】
つまり、接続金具１と芯線４はともに金属製で、個体による寸法の誤差は極めて小さいものであるから、上述のように構成することにより、保持部材５により確実に接続金具１と芯線４とを固定することが可能となる。したがって、接着剤を用いることなく組み立てることができるため、作業性に優れるとともに不良が発生する可能性が少なくなり、さらには保持部材５の弾性力によりプラグは密閉状態となるため、気密性の保持にも優れた電気伝導プラグとなるのである。
【図面の簡単な説明】
【００４０】
【図１】本発明の実施例の電気伝導プラグの断面図である。
【図２】本発明の実施例の接続金具の断面図である。
【図３】本発明の実施例の保持部材の断面図である。
【図４】従来の電気伝導プラグの断面図である。
【符号の説明】
【００４１】
１    接続金具
２    中空部
３ａ  碍子体（第一碍子体）
３ｂ  碍子体（第二碍子体）
４    芯線
５    保持部材
１１  小径部
１３  鍔部
１７  リブ
【図１】
0005008574.tif 000002
【図２】
0005008574.tif 000003
【図３】
0005008574.tif 000004
【図４】
0005008574.tif 000005